(57)【特許請求の範囲】
【請求項１】
所定の動作を行うからくり機構を備えたからくり時計装置であって、
所定時刻に所定の動作を行う第１の可動体と、
通常は前記第１の可動体の一部を隠すように該第１の可動体の前方に設けられ、所定時刻になると該第１の可動体の全体を視認可能となる方向に移動する第２の可動体とを有し、
前記第１の可動体は、前記時計装置の筐体内からスライドして外部に迫り出し可能に設けられている
からくり時計装置。
【請求項２】
前記第１の可動体を所定の方向に駆動し、当該第１の可動体の移動とともに前記第２の可動体を前記筐体内の所定の位置に退避および復帰させる駆動機構を有する
請求項１に記載のからくり時計装置。
【請求項３】
前記第２の可動体は、振り子機構であって、通常は揺動していて、所定時刻に昇降自在に支持されている
請求項１に記載のからくり時計装置。
【発明の詳細な説明】
【０００１】
【発明の属する技術分野】
本発明は、時計装置とともに、所定の動作を行う２つの可動体によって構成されるからくり機構を有するからくり時計装置に関する。
【０００２】
【従来の技術】
時計機構によって揺動される振り子を備えた時計装置は一般的に知られている。
一方で、報時を行う際に、例えば、複数の人形体が設置された装飾体が時計装置の前方に迫り出し可能な、一種のステージ演奏を模したからくり装置を備えたからくり時計装置が知られている。
例えば、実公平５−１２７８７号公報において、所定時刻に装飾体がスライドするからくり時計が提案されており、また、特開平８−６８８６９号公報において、通常は文字板によって装飾体全体が隠されていて、所定時刻になると文字板が可動して文字板背面に配置された装飾体が視認可能となるからくり時計が提案されている。
【０００３】
【発明が解決しようとする課題】
従来から、例えば、面白さや、趣味性や、意外性等に富む時計装置、すなわち購入者の嗜好性を満たす時計装置に対する要求がある。
上記したような揺動される振り子のみを備えた時計装置は、常時振り子の動きがあり、ある意味では購入者の嗜好性に応えるものであるが、動きが一定であり単調であるという欠点がある。
一方、このような欠点を解消するために、振り子に加えて上記のようなからくり装置を時計装置に設ければ、動きに変化が発生するため、より一層購入者の嗜好性を満たすものとなる。
しかしながら、振り子に加えて、大きな動作を有するからくり装置を時計装置に併設すると、時計装置が大きくなるという欠点がある。
また、振り子とからくり装置とがそれぞれ独立に運動するのみでは、振り子とからくり装置を併設することによる効果が意外性等の点で少ない。
さらに、振り子とからくり装置とを駆動するには、駆動機構が増加し、時計装置が大きくなるという欠点がある。
さらに、上記した、文字板によって装飾体全体が隠されていて、正時等の所定時刻になると文字板が可動して装飾体全体を見せるものは、正時以外は全く装飾体が認識できないので、店頭等に展示しておいても、購買者にはからくり時計であることがわからないという欠点もある。
【０００４】
本発明は、振り子や装飾体いった複数の可動体を備えたからくり装置を有する時計装置であって、複数の可動体が相互に連動することによって意外性等に富み、かつコンパクトなからくり時計装置を提供することを目的とする。
【０００５】
【課題を解決するための手段】
本発明に係るからくり時計装置は、所定の動作を行うからくり機構を備えたからくり時計装置であって、所定時刻に所定の動作を行う第１の可動体と、通常は前記第１の可動体の一部を隠すように該第１の可動体の前方に設けられ、所定時刻になると該第１の可動体の全体を視認可能となる方向に移動する第２の可動体とを有し、前記第１の可動体は、前記時計装置の筐体内からスライドして外部に迫り出し可能に設けられている。
これにより、所定の時刻になると、第２の可動体によって一部が隠れていた第２の可動体の全体が現出し、面白さ、趣味性、意外性等に富み装飾性に優れるからくり時計装置となる。
【０００７】
前記第２の可動体は、好ましくは、振り子機構であって、通常は揺動していて、所定時刻に昇降自在に支持されている
【０００８】
本発明に係るからくり時計装置は、好ましくは、前記第１の可動体を所定の方向に駆動し、当該第１の可動体の移動とともに前記第２の可動体を前記筐体内の所定の位置に退避および復帰させる駆動機構を有する。
これにより、第１の可動体の動作に応じて第２の可動体が退避および復帰することにより、からくり機構をコンパクト化することができ、また、面白さや、趣味性や、意外性に富む時計装置となる。
【０００９】
【発明の実施の形態】
以下、本発明の実施の形態について図面を参照して説明する。
図１は本発明のからくり時計装置の一実施形態を示す正面図である。
図１において、からくり時計装置１は、基本的に筐体２の上側に設けられた時計部３と、筐体２の下側に設けられたからくり機構部１１からなる。
図１に示すからくり機構部１１は、扉４が閉じられた状態にあり、扉４内には振り子５および装飾体が設けられた設置台６が設置されている。
【００１０】
図２は、からくり時計装置１の内部を背面側から見た図である。図２に示すように、からくり時計装置１の内部には、時計部３の指針を駆動する時計ムーブメント７が設置されている。
時計ムーブメント７の上端部には、振り子５を揺動させるための駆動部７ａが形成されており、この駆動部７ａに軸状の揺動部材９が支持されている。
揺動部材９は、時計ムーブメント７の駆動部７ａからの駆動力によって所定の周期で揺動する。揺動部材９の下端部には、振り子５と揺動部材９とを連結する連結部材８が固定されている。
【００１１】
振り子５と時計ムーブメント７とを連結する連結部材８には、案内溝８ａが形成されており、振り子５に形成された係合ピン５ａが案内溝８ａに係合することにより、振り子５は矢印Ｂ１およびＢ２方向に移動自在に案内される。振り子５の係合ピン５ａは、通常は振り子５の自重によって案内溝８ａの下端に位置するが、図２に仮想線で示すように、からくり機構部１１の上方位置まで移動可能である。
揺動部材９の所定周期の揺動によって、連結部材８および振り子５は揺動部材９とともに矢印Ｃ１およびＣ２方向に揺動する。
なお、図２では、からくり機構部１１の詳細については省略してある。
【００１２】
一方、からくり機構部１１は、図１に示す扉４が閉じた状態から、図３に示すように、扉４が開くとともに内部設置された装飾体が設けられた設置台６が視認できるようになっている。また、後述するように、装飾体が設けられた設置台６は、からくり時計装置１の前方へスライドして迫り出すようになっている。この設置台６の迫り出し動作に連動して、上述した振り子５は、後述する昇降板によって係合ピン５ａが案内溝８ａによって案内されながら上方に向かって押し上げられるようになっている。
以下、装飾体の設けられた設置台６および振り子５の駆動機構について具体的に説明する。
【００１３】
図４〜図８は、本実施形態に係るからくり機構１１の構造を示す説明図であって、図４はからくり機構１１の上面図であり、図５は図４のＡ−Ａ線断面図であり、図６はからくり機構１１の装飾体の設置された設置台６が前方へ迫り出して振り子５が上方へ移動した状態の上面図であり、図７はからくり機構１１の背面図であり、図８は装飾体の設置台６が前方へ迫り出して振り子５が上方へ移動した状態の背面図である。
【００１４】
図４および図５に示すように、からくり機構１１の筐体１２上には、からくり機構を駆動するためのモータＭと、モータＭの駆動軸に固定された歯車２０と、回転軸に小径歯と大径歯とが固定された歯車２１であって大径歯が歯車２０と噛合する歯車２１と、小径歯と大径歯とが回転軸に固定された歯車２２であって大径歯が従動歯車２１の小径歯と噛合する歯車２２と、従動歯車２２の小歯車と噛合する歯車２３とが設けられている。
また、歯車２３が固定された軸２９の端部には、歯車２４が固定されており、この歯車２４は、軸３０の両端部に設けられた２つの歯車２５の一方と噛合している。
２つの歯車２５は、装飾体の設置台６上に平行に設けられた２つのラックギア２８とそれぞれ噛合している。なお、図７に示すように、設置台６は、２つの平行なスライダ６１によってスライド可能に筐体内に設けられている。
このラックギア２８は、歯車２５と噛合しているとともに、歯車２６とも噛合している。歯車２６は、アーム５３を支持する軸３１に固定された歯車２７と噛合している。
【００１５】
アーム５３は、コ字形状に形成されており、両端部が軸３１によって支持され、軸３１の回転によって旋回可能となっている。アーム５３の上には、両端部を２つの案内部材５１で挟まれ、これら案内部材５１によって昇降方向に案内されて昇降可能な昇降板５５が設けられている。この昇降板５５は、アーム５３の旋回動作にしたがって、案内部材５１に沿って昇降する。
また、昇降板５５には、図４に示すように、矩形状の切り抜き部５５ａが形成されており、時計ムーブメント７に支持された振り子５は、この切り抜き部５５ａを通って、設置台６に設けられた装飾体の前方に吊り下げられている。
また、図７に示すように、昇降板５５は、振り子５に形成された係合ピン５ａを下方から支持しており、振り子５は昇降板５５の昇降動作によって昇降（スライド）する。
【００１６】
上記のように構成されるからくり機構１１がからくり時計装置１の筐体内の所定の位置されることにより、からくり時計装置１が構成されている。
次に、上記のように構成されるからくり機構１１の動作について説明する。
図１に示すように、扉４が閉じられた状態にあり、時計装置内に設置台６が収容されている状態から、例えば報時動作が開始されると、上記のモータＭが駆動され、歯車２０が図５に示す矢印の向きに回転する。
歯車２０の回転により、歯車２２，２１および２３が矢印の向きに回転し、歯車２２に噛合する歯車２５は、軸３０を中心に矢印の向きに回転する。歯車２５の矢印の向きの回転により、歯車２５と噛合するラックギア２８が設けられた設置台６は、矢印Ｂの方向にスライドし、時計装置の前方に迫り出す。
【００１７】
一方、設置台６の矢印Ｂの方向へのスライドによって、歯車２６が矢印の向きに回転し、歯車２６に噛合する歯車２７が矢印の向きに回転する。この歯車２７の矢印の向きの回転によって、アーム５３は仮想線で示すように、旋回動作をする。これによって、昇降板５５はアーム５３によって押し上げられ、矢印Ｃの方向に上昇する。
【００１８】
図６に示すように、設置台６と扉４は、扉４に形成された係合部４ａによって係合しており、設置台６が時計装置の前方に迫り出すと、扉４は、設置台６のスライドに連動して開く。
また、振り子５は、昇降板５５の上昇によって、図７に示した状態から、図８に示すような位置に上昇する。
なお、設置台６のスライドと振り子５の上昇とは、設置台６に設けられた装飾体と振り子５とが接触しないタイミングで行われる。
【００１９】
設置台６および振り子５が所定の位置まで移動すると、上記したモータＭの回転は停止される。
このとき、からくり時計装置１は、図３に示したように、扉４が開き、設置台６が前方に迫り出すとともに、からくり時計装置１の前方からは、振り子５が見えない状態となる。
【００２０】
そして、図３に示す状態から所定の時間が経過すると、上記のモータＭは、逆向きに回転駆動され、設置台６は、からくり時計装置内に収容されるとともに、振り子５が図１に示すように、からくり時計装置１の前方から見える位置まで復帰する。
【００２１】
以上のように、本実施形態に係るからくり時計装置１によれば、設置台６がからくり時計装置１の前方に迫り出し、この動きに連動して設置台６に設けられた装飾体と振り子５とが接触しないタイミングで振り子５が所定の位置まで上昇する。
すなわち、例えば、からくり時計装置１の報時の際に、扉４が開き扉４の背後に隠れていた装飾体が前方に迫り出し、それまで、揺動していた振り子５が隠れることから、意外性等の装飾性に富んだからくり時計装置１とすることができる。
また、からくり時計装置１の振り子５は、通常、装置内であって装飾体が設けられた設置台６の前方に設けられ、例えば、からくり時計装置１の報時の際に所定の位置まで退避されることから、からくり時計装置１のからくり機構１１をコンパクトにすることができる。
【００２２】
なお、本実施形態においては、からくり時計装置１の設置台６に設けられた装飾体は、固定されたものとしたが、装飾体を駆動する駆動装置を設けて所定の動きをするものとし、扉４が開いて装飾体が前方に迫り出した際に装飾体を動作させれば、一層装飾性の高いからくり時計装置１とすることができる。
【００２３】
さらに、本実施形態においては、第１の可動体としての設置台６を装置の筐体内からスライドして外部に迫り出し可能に設けられているものとしたが、設置台６をスライド動作させず、設置台６に設けられた装飾体を動かすのみでも良い。これによって、振り子５の昇降動作に加えて、装飾体の動作を有するため、装飾性の高いからくり時計装置とすることができる。
また、第２の可動体として、振り子５を用いた場合について説明したが、これの代わりに、昇降自在に支持された垂れ幕を設置台６の前方に設けてもよい。
こてによって、所定時刻になると垂れ幕が上昇して、背後の設置台６が迫り出し動作を行うことになるため、ステージ演奏を模した装飾性の高いからくり時計装置とすることができる。
【００２４】
また、本実施形態においては、振り子５および設置台６を駆動する駆動機構は、単独のモータＭを駆動源として設置台６のスライドおよび振り子５の昇降を連動させて行う構成としたが、この他にも、設置台６のスライドと振り子５の昇降とを別々の駆動源を用いて設置台６および振り子をそれぞれ駆動する駆動機構によって行う構成とすることも可能である。
この場合には、本実施形態のような設置台６のスライドおよび振り子５の昇降を連動させる機構が必要なくなるため、駆動機構を簡素化することができる。
【００２５】
【発明の効果】
以上説明したように、本発明によれば、複数の可動体が連動することによって意外性等の装飾性に富み、かつコンパクトなからくり時計装置が得られる。
また、本発明によれば、第１の可動体の一部を隠すように第２の可動体が設けられているため、第１および第２の可動体が動作していない場合であっても、第１および第２の可動体を認識することができ、からくり時計装置であることが一見して識別できる。
また、第１の可動体の前方に第２の可動体を配置しても第１の可動体と第２の可動体が衝突することがなく、時計装置の小型化が可能となる。
【図面の簡単な説明】
【図１】本発明に係るからくり時計装置の一実施形態を示す正面図である。
【図２】図１に示すからくり時計装置の背面図である。
【図３】図１に示すからくり時計装置において、装飾体が迫り出した状態を示す正面図である。
【図４】図１に示す状態にあるからくり時計装置の上面図である。
【図５】図４のＡ−Ａ線断面図である。
【図６】図２に示す状態にあるからくり時計装置の上面図である。
【図７】図１に示すからくり時計装置のからくり機構部を示す背面図である。
【図８】図７に示すからくり時計装置のからくり機構部の装飾体の迫り出した状態を示す背面図である。
【符号の説明】
１…からくり時計装置
２…筐体
３…時計機構部
４…扉
５…振り子
５ａ…係合ピン
６…設置台
７…時計ムーブメント
８…連結部材
９…揺動部材
１１…からくり機構部
１２…筐体
２０〜２７…歯車
２８…ラックギア
２９，３０…軸
５１…案内部材
５３…アーム
５５…設置板
５５ａ…切り抜き部
６１…スライダ
【図１】
0003539836.tif 000002
【図２】
0003539836.tif 000003
【図３】
0003539836.tif 000004
【図４】
0003539836.tif 000005
【図５】
0003539836.tif 000006
【図６】
0003539836.tif 000007
【図７】
0003539836.tif 000008
【図８】
0003539836.tif 000009